(57)【特許請求の範囲】
【請求項１】
人体ネック部にかけることができるＵ形のネック枕を備え、前記Ｕ形のネック枕の内側において人体ネック部に対応して少なくとも１つのマッサージモジュールが設けられているネック部マッサージ器であって、前記マッサージモジュールは、前記Ｕ形のネック枕の内側に沿って上から下まで順次に設置された少なくとも２つのマッサージヘッドを備え、上方に位置するマッサージヘッドの高さが下方に位置する隣りのマッサージヘッドより順次に低くなっており、
前記マッサージモジュールは、２セットであり、前記２セットのマッサージモジュールの間には、前記２セットのマッサージモジュールの間の距離を調節できる調節装置が設けられていることを特徴とするネック部マッサージ器。
【請求項２】
各前記マッサージモジュールは、２つのマッサージヘッドと、前記２つのマッサージヘッドを駆動するための駆動装置と、前記駆動装置と前記２つのマッサージヘッドとの間に設けられた伝動機構とを備え、前記伝動機構が、筐体内に設けられ、前記２つのマッサージヘッドが、前記筐体の外部に設けられており、前記Ｕ形のネック枕の内側にふくれ出すことを特徴とする請求項１に記載のネック部マッサージ器。
【請求項３】
前記伝動機構は、主動ホイールと、前記主動ホイールによって連動する第１の従動ホイールと、前記第１の従動ホイールによって連動し、それぞれ２つのマッサージヘッドを駆動することに用いられる２つの第２の従動ホイールとを備え、前記駆動装置は、動力素子を備え、前記動力素子の送出軸が前記筐体内に挿入され、前記主動ホイールが前記送出軸に固定されていることを特徴とする請求項２に記載のネック部マッサージ器。
【請求項４】
前記第１の従動ホイールと前記２つの第２の従動ホイールとの間には、第３の従動ホイールが更に設けられており、前記第１の従動ホイールと前記第３の従動ホイールのいずれも、それぞれ上ギアリングと、下ギアリングとを備えるダブル歯車であり、前記第１の従動ホイールの上ギアリングと前記第３の従動ホイールの下ギアリングとが噛合い、前記第１の従動ホイールの下ギアリングと前記主動ホイールとが噛合い、前記第３の従動ホイールの上ギアリングがそれぞれ前記２つの第２の従動ホイールと噛合うことを特徴とする請求項３に記載のネック部マッサージ器。
【請求項５】
前記駆動装置は、前記動力素子に接続された制御回路基板を更に備え、前記制御回路基板が前記Ｕ形のネック枕内に内蔵された電池に接続されることを特徴とする請求項３に記載のネック部マッサージ器。
【請求項６】
前記調節装置は、外部から前記Ｕ形のネック枕内に挿入される回転軸と、前記回転軸の外端部に設けられたつまみと、前記回転軸の内端部に設けられた歯車と、それぞれが前記歯車の上部及び下部と噛合う２つのラックとを備え、前記２つのラックがそれぞれ対応的に前記マッサージモジュールに接続されることを特徴とする請求項２に記載のネック部マッサージ器。
【請求項７】
前記調節装置は、前記つまみと前記回転軸との間に設けられて双方向ロッキングに用いられるロッキング構造を更に有することを特徴とする請求項６に記載のネック部マッサージ器。
【請求項８】
前記ロッキング構造は、前記つまみと同期して転動できるつめ車止め輪と、前記つめ車止め輪に係合できるつめ車ベースとを備え、前記回転軸は、前記つめ車止め輪の中心を貫通して固定されていることを特徴とする請求項７に記載のネック部マッサージ器。
【請求項９】
前記つめ車止め輪は、逆方向に設置された上ラチェットバックルと下ラチェットバックルとを備え、前記つめ車ベースには、上歯止めループと下歯止めループとが設けられており、前記上歯止めループと下歯止めループとの歯止め方向が逆であり、前記上ラチェットバックルと下ラチェットバックルとが、それぞれ前記上歯止めループと下歯止めループとフィッティングすることを特徴とする請求項８に記載のネック部マッサージ器。
【発明の詳細な説明】
【技術分野】
【０００１】
本発明は、マッサージ機器に関し、より具体的には、ネック部マッサージ器に関する。
【背景技術】
【０００２】
近年、社会の発展に伴って、人間の仕事や生活のリズムは、ますます速くなってきており、仕事におけるプレッシャーも大きくなってきており、リラックスや休みの時間もますます少なくなってきており、長く続けると、心身ともに疲れてしまうようになった。特に、長く机に向かって働いている人間にとって、頸椎が長い間に特定の状態にあり、ネック部の筋肉も長い期間にわたって調和ではない負荷状態にあり、ネックの後部の筋肉や靭帯が引っ張られて損傷されやすくなり、それに加えて、過度に振り向けたり、横に振ったりすることなどによって、頚椎症を招きやすい。
【０００３】
そのため、現在、ネックや肩部のマッサージに向く様々なマッサージ器も市場に登場してきた。しかしながら、これらのマッサージ器は、マッサージ形式が単一であり、ネック部における異なる部位に対して目標性あるマッサージをすることができず、マッサージ効果が悪い。
【発明の概要】
【発明が解決しようとする課題】
【０００４】
本発明は、従来の技術における欠陥を克服するために、構造が簡単であり、使用が便利であり、マッサージ効果が優れたネック部マッサージ器を提供することを解決しようとすることを技術的課題とする。
【課題を解決するための手段】
【０００５】
上述した技術問題を解決するために、本発明の技術手段は、人体ネック部にかけることができるＵ形のネック枕を備え、前記Ｕ形のネック枕の内側において人体ネック部に対応して少なくとも１つのマッサージモジュールが設けられているネック部マッサージ器であって、前記マッサージモジュールは、前記Ｕ形のネック枕の内側に沿って上から下まで順次に設置された少なくとも２つのマッサージヘッドを備え、上方に位置するマッサージヘッドの高さが下方に位置する隣りのマッサージヘッドより順次に低くなっているネック部マッサージ器を提供することである。
【０００６】
更に、前記マッサージモジュールは、２セットであり、前記２セットのマッサージモジュールの間には、前記２セットのマッサージモジュールの間の距離を調節できる調節装置が設けられている。
【０００７】
具体的には、各前記マッサージモジュールは、２つのマッサージヘッドと、前記２つのマッサージヘッドを駆動するための駆動装置と、前記駆動装置と前記２つのマッサージヘッドとの間に設けられた伝動機構とを備え、前記伝動機構が、筐体内に設けられ、前記２つのマッサージヘッドが、前記筐体の外部に設けられており、前記Ｕ形のネック枕の内側にふくれ出す。
【０００８】
具体的には、前記伝動機構は、主動ホイールと、前記主動ホイールによって連動する第１の従動ホイールと、前記第１の従動ホイールによって連動し、それぞれ２つのマッサージヘッドを駆動することに用いられる２つの第２の従動ホイールとを備え、前記駆動装置は、動力素子を備え、前記動力素子の送出軸が前記筐体内に挿入され、前記主動ホイールが前記送出軸に固定されている。
【０００９】
更に、前記第１の従動ホイールと前記２つの第２の従動ホイールとの間には、第３の従動ホイールが更に設けられており、前記第１の従動ホイールと前記第３の従動ホイールのいずれも、それぞれ上ギアリングと、下ギアリングとを備えるダブル歯車であり、前記第１の従動ホイールの上ギアリングと前記第３の従動ホイールの下ギアリングとが噛合い、前記第１の従動ホイールの下ギアリングと前記主動ホイールとが噛合い、前記第３の従動ホイールの上ギアリングがそれぞれ前記２つの第２の従動ホイールと噛合う。
【００１０】
更に具体的には、前記駆動装置は、前記動力素子に接続された制御回路基板を更に備え、前記制御回路基板が前記Ｕ形のネック枕内に内蔵された電池に接続される。
【００１１】
具体的には、前記調節装置は、外部から前記Ｕ形のネック枕内に挿入される回転軸と、前記回転軸の外端部に設けられたつまみと、前記回転軸の内端部に設けられた歯車と、それぞれが前記歯車の上部及び下部と噛合う２つのラックとを備え、前記２つのラックがそれぞれ対応的に前記マッサージモジュールに接続される。
【００１２】
具体的には、前記調節装置は、前記つまみと前記回転軸との間に設けられて双方向ロッキングに用いられるロッキング構造を更に備える。
【００１３】
具体的には、前記ロッキング構造は、前記つまみと同期して転動できるつめ車止め輪と、前記つめ車止め輪に係合できるつめ車ベースとを備え、前記回転軸は、前記つめ車止め輪の中心を貫通して固定されている。
【００１４】
具体的には、前記つめ車止め輪は、逆方向に設置された上ラチェットバックルと下ラチェットバックルとを備え、前記つめ車ベースには、上歯止めループと下歯止めループとが設けられており、前記上歯止めループと下歯止めループとの歯止め方向が逆であり、前記上ラチェットバックルと下ラチェットバックルとが、それぞれ前記上歯止めループと下歯止めループとフィッティングする。
【発明の効果】
【００１５】
本発明は、人体ネック部の上部が凸であり、下部が凹である特点に合わせて、上部のマッサージヘッドが低く、下部のマッサージヘッドが高いように設けられており、そのように、各マッサージヘッドがそれぞれネック部の各部位に対応してマッサージを行い、より良いマッサージ効果が得られる。
【図面の簡単な説明】
【００１６】
【図１】図１は、本発明に係る実施例が提供するネック部マッサージ器の構造模式図である。
【図２】図２は、本発明に係る実施例が提供するネック部マッサージ器を他の角度で観察した時の構造模式図である。
【図３】図３は、本発明に係る実施例におけるマッサージモジュールの構造模式図である。
【図４】図４は、図３の分解図である。
【図５】図５は、本発明に係る実施例が提供するネック部マッサージ器の上面図である。
【図６】図６は、図５におけるＡ−Ａ線に沿う断面図である。
【図７】図７は、図６における箇所Ｂを拡大した図である。
【図８】図８は、本発明に係る実施例が提供するネック部マッサージ器の部分断面図である。
【図９】図９は、図８における箇所Ｄを拡大した図である。
【図１０】図１０は、図６における箇所Ｃを拡大した図である。
【図１１】図１１は、本発明に係る実施例における調節装置の分解図である。
【図１２】図１２は、本発明に係る実施例におけるつめ車止め輪の構造模式図である。
【図１３】図１３は、本発明に係る実施例におけるつめ車ベースの構造模式図である。
【発明を実施するための形態】
【００１７】
本発明の目的、技術手段及び長所をより明らかにするために、以下、添付図面及び実施例を参照しながら、本発明を更に詳しく説明する。ここで述べた具体的な実施例が本発明を解釈するためのものだけであり、本発明を限定しないことを理解すべきである。
【００１８】
本発明は、従来の技術におけるネック部マッサージ器では、構造が単一であり、マッサージ効果が悪い問題に対して、人体ネック部にかけることができるＵ形のネック枕を備え、Ｕ形のネック枕の内側において人体ネック部に対応して少なくとも１セットのマッサージモジュールが設けられており、各マッサージモジュールがＵ形のネック枕の内側に沿って上から下まで順次に設置された少なくとも２つのマッサージヘッドを備え、上方に位置するマッサージヘッドの高さが下方に位置する隣りのマッサージヘッドより順次に低くなっているネック部マッサージ器を提供する。人体ネック部は、上部が凸であり、下部が凹であるため、本発明は、人体ネック部の特点に合わせて、上部のマッサージヘッドが低く、下部のマッサージヘッドが高いように設けてられており、そのように、各マッサージヘッドがそれぞれネック部の各部位に対応してマッサージを行い、より良いマッサージ効果が得られる。
【００１９】
以下、添付図面を参照しながら本発明に係る実施例の具体的な実現方式を更に詳しく説明する。
【００２０】
図１、図２を参照し、本発明に係る実施例が提供するネック部マッサージ器であり、人体ネック部にかけることができるＵ形のネック枕１００を備え、Ｕ形のネック枕１００の内側において人体ネック部に対応して対称的に２セットのマッサージモジュール２００が設けられている。各マッサージモジュール２００は、Ｕ形のネック枕１００の内側に沿って上から下まで順次にそれぞれが上マッサージヘッド２１０と下マッサージヘッド２２０である２つのマッサージヘッドを備え、上マッサージヘッド２１０の高さが下マッサージヘッド２２０よりも低い。そのようにして、２つのマッサージヘッドは、人体ネック部との最適なフィッティング状態になる。勿論、上から下まで複数のマッサージヘッドを設けても良い。
【００２１】
本実施例において、マッサージの時に、人の手で揉んでいる時の２本の指によるマッサージ効果に類似するようにするために、マッサージモジュール２００を２セットとし、且つ対称的に分布すると共に、２セットのマッサージモジュール２００の間において調節装置３００を設け、設置調節装置３００によって２セットのマッサージモジュール２００の間の距離を調節することで、ネック部マッサージ器を異なる人間に適用させることができ、異なる人間のネック部の太さによってマッサージモジュール２００の位置を調節して、マッサージモジュール２００とネック部とのフィッティング性をより良くし、マッサージ効果をより好適にする。
【００２２】
図３〜図６を参照し、本実施例において、各マッサージモジュール２００は、上マッサージヘッド２１０と、下マッサージヘッド２２０と、２つのマッサージヘッドを駆動するための駆動装置２３０と、駆動装置２３０と２つのマッサージヘッドとの間に設けられた伝動機構２４０とを備え、伝動機構２４０が、筐体２５０内に設けられ、上マッサージヘッド２１０と下マッサージヘッド２２０が、筐体２５０の外部に設けられており、且つＵ形のネック枕１００の内側にふくれ出す。
【００２３】
具体的には、図４、図６を参照し、伝動機構２４０は、主動ホイール２４１と、主動ホイール２４１によって連動する第１の従動ホイール２４２と、第１の従動ホイール２４２によって連動する２つの第２の従動ホイール２４３とを備える。前記上マッサージヘッド２１０と下マッサージヘッド２２０は、それぞれ前記２つの第２の従動ホイール２４３の中心軸２４３１に固定されている。駆動装置２３０は、動力素子２３１を備え、筐体２５０は、お互いに係合する第１の筐体２５１と第２の筐体２５２とからなり、動力素子２３１の送出軸２３１１は、第１の筐体２５１内に挿入され、主動ホイール２４１は、送出軸２３１１の挿入端に固定されている。
【００２４】
更に、図７〜図９を参照し、本実施例において、第１の従動ホイール２４２と２つの第２の従動ホイール２４３との間には、第３の従動ホイール２４４が更に設けられており、第１の従動ホイール２４２と第３の従動ホイール２４４のいずれも、それぞれ上ギアリングと、下ギアリングとを備えるダブル歯車であり、主動ホイール２４１と第２の従動ホイール２４３とが歯車構造であり、第１の従動ホイール２４２の上ギアリング２４２１と第３の従動ホイール２４４の下ギアリング２４４２とが噛合い、第１の従動ホイール２４２の下ギアリング２４２２と主動ホイール２４１とが噛合い、第３の従動ホイール２４４の上ギアリング２４４１がそれぞれ２つの第２の従動ホイール２４３と噛合う。本実施例において、動力素子２３１が起動すると、主動ホイール２４１を連動させて転動させ、第１の従動ホイール２４２が主動ホイール２４１によって連動して転動し、第３の従動ホイール２４４が第１の従動ホイール２４１によって連動して転動し、２つの第２の従動ホイール２４３が第３の従動ホイール２４４の転動によって転動して、最終に上マッサージヘッド２１０と下マッサージヘッド２２０を連動させて転動させ、マッサージ操作を行わせる。本実施例において、上述したマルチレベル歯車伝動機構を採用しており、歯車伝動の安定性が良く、一方、適切な伝動比を設けることによって、速度低減作用を奏し、第２の従動ホイール２４３を適切な回転速度に到達させると共に、同様な回転速度で、マルチレベル伝動構造をよりコンパクトにした。
【００２５】
本実施例において、駆動装置２３０が動力素子２３１に接続された制御回路基板２３２を更に備え、Ｕ形のネック枕１００内であって且つ筐体２５０の外側に、回路基板２３２の接続を制御するリチウム電池２３４がブリケッティング２３３によって取り付けられて固定されている。リチウム電池２３４を設けることによって、ネック部マッサージ器に内蔵の予備電池を提供する。一般に、ネック部マッサージ器は、接続プラグ（図示なし）によって外部電源に接続することができるが、この予備電池を設けることによって、ネック部マッサージ器の携帯を便利にして、外部電源がない場合においても、随時随所にマッサージ操作を行うことができる。
【００２６】
図６、図１０を参照し、調節装置３００は、外部からＵ形のネック枕１００内に挿入される回転軸３１０と、回転軸３１０の外端部に設けられたつまみ３２０と、回転軸３１０の内端部に設けられた歯車３３０と、それぞれが歯車３３０の上部及び下部と噛合う第１のラック３４０及び第２のラック３５０とを備え、つまみ３２０の外側には、つまみカバー３６０が更に設けられており、第１のラック３４０と第２のラック３５０は、それぞれ対応的にマッサージモジュール２００の筐体２５０に接続されている。つまみ３２０を転動させると、つまみ３２０が回転軸３１０を連動させて転動させ、回転軸３１０の内端部に位置する歯車３３０は、回転軸３１０によって連動して同期的に転動するようになっており、時計回りに転動したり、反時計回りに転動したりすると、その上部と下部と噛合う第１のラック３４０と第２のラック３５０とを連動させてお互いに近づいたり離れたりするようにし、第１のラック３４０と第２のラック３５０とがそれぞれ２セットのマッサージモジュール２００内の筐体２５０に接続されているために、２セットのマッサージモジュール２００が第１のラック３４０と第２のラック３５０によって連動してお互いに近づいたり離れたりして、適切なピッチを得るように調節し、異なる使用者が便利に使用できるようにする。勿論、上述した２セットのマッサージモジュール２００の間のピッチの調整は、上述した構造に限定されなく、重なって設けて対応的な活動バックルを利用する方式によって調節を行っても良い。
【００２７】
更に、本実施例において、調節装置３００は、つまみ３２０と回転軸３１０との間に設けられて双方向ロッキングに用いられるロッキング構造３７０を更に有する。このロッキング構造によってつまみ３２０と回転軸３１０をロッキングすることで、２セットのマッサージモジュール２００がつまみ３２０によって適切な距離に調節された時に、つまみ３２０は、ロッキング構造３７０のロッキングによってロッキングされ、人力による回転ではない場合に転動できなく、２セットのマッサージモジュール２００の間のピッチが一定になり、マッサージ中において両方がお互いに移動させることを回避し、使用者が便利に使用できるようにした。
【００２８】
具体的には、図１０に示すように、ロッキング構造３７０は、つめ車止め輪３７１と、つめ車止め輪３７１に係合するつめ車ベース３７２とを備え、回転軸３１０は、つめ車止め輪３７１の中心を貫通して固定されている。つまみ３２０の底部につめ車止め輪３７１内に挿入可能な接続柱３２１が突出して設けられており、つまみ３２０は、転動する時に、つめ車止め輪３７１を連動させて回転軸３１０をめぐって同期に転動させることができる。
【００２９】
本実施例において、つめ車止め輪３７１は、逆方向に設置された上ラチェットバックル３７１１と下ラチェットバックル３７１２とを備え、つめ車ベース３７２には、上歯止めループ３７２１と、下歯止めループ３７２２とが設けられており、上歯止めループ３７２１と下歯止めループ３７２２との歯止め方向が逆であり、上ラチェットバックル３７１１と下ラチェットバックル３７１２とがそれぞれ上歯止めループ３７２１と下歯止めループ３７２２とフィッティングする。つまみ３２０が回転を停止すると、上ラチェットバックル３７１１と下ラチェットバックル３７１２とがそれぞれ上歯止めループ３７２１と下歯止めループ３７２２に係合し、そのように、外力作用がない場合に、つめ車止め輪３７１が転動できなく、回転軸３１０が転動できなく、歯車３３０も固定されて動かなく、第１のラック３４０と第２のラック３５０とが相対的に固定されていることを保証する。
【００３０】
具体的には、図１２に示すように、つめ車止め輪３７１は、柱状の本体３７１３を備え、上ラチェットバックル３７１１と下ラチェットバックル３７１２は、本体３７１３の軸方向に沿って上下に位置をずらして設けられており、それぞれが半円形構造であり、２つの半円形構造が本体３７１３の径方向軸線に沿って対称的に設けられている。上ラチェットバックル３７１１と下ラチェットバックル３７１２には、径方向軸線に沿って対称的に同一の円周線に位置する第１の取付槽３７１１１、３７１２１が設けられている。つまみ３２０の内側に設けられた接続柱３２１が２本であり、対称的に設けられており、取付時に２本の接続柱３２１がそれぞれ第１の取付槽３７１１１、３７１２１内に対応的に置かれている。上述したお互いにフィッティングする第１の取付槽３７１１１、３７１２１及び接続柱３２１によって、効果的につめ車止め輪３７１とつめ車ベース３７２とを引っ張って分離させる。
【００３１】
具体的には、下ラチェットバックル３７１２であって且つ径方向軸線に２本の固定柱３７１２２が設けられており、２本の固定柱３７１２２がいずれも上ラチェットバックル３７１１の縁まで当たる。つまみ３２０の内側には２つの第２の取付槽（図示なし）が対応して設けられており、取付時に、前記２本の固定柱３７１２２がそれぞれ前記２つの第２の取付槽内に摺動可能に設けられている。上述したお互いにフィッティングする第２の取付槽及び固定柱３７１２２を設けることによって、つまみ３２０は、回転する時に効果的につめ車止め輪３７１を連動させて回転させる。
【００３２】
図１２に示すように、上ラチェットバックル３７１１と本体３７１３との間には、ホローの隙間３７１４が設けられており、下ラチェットバックル３７１２と本体３７１３との間にもホローの隙間３７１４が設けられており、隙間３７１４が曲線状をなす。このような隙間設計を採用することによって、上ラチェットバックル３７１１と下ラチェットバックル３７１２との弾性をより良くし、回転の時により容易につめ車ベース３７２から分離する。
【００３３】
図１３に示すように、つめ車ベース３７２は、中空のサック状構造であり、上歯止めループ３７２１がサック状構造の中空内穴の外側に設けられており、下歯止めループ３７２２が上歯止めループ３７２１の内側に設けられている。上歯止めループ３７２１の有する上歯止め３７２１１の左側歯面が直角面であり、右側歯面が傾斜面であり、下歯止めループ３７２２の有する下歯止め３７２２１の左側歯面が傾斜面であり、右側歯面が直角面である。図１２を参照し、上ラチェットバックル３７１１の外側縁には、第１の凸起３７１１２が設けられており、下ラチェットバックル３７１２の外側縁には、第２の凸起３７１２３が設けられている。つめ車止め輪３７１の円周方向に沿う第１の凸起３７１１２の内側面が直角面であり、外側面が円弧面であり、つめ車３１の円周方向に沿う第２の凸起３１２３の内側面が直角面であり、外側面が円弧面である。つめ車ベース３７２は、つめ車３７１の外側を覆うように設置されており、この時に、第１の凸起３７１１２の直角面が上歯止めループ３７２１における上歯止め３７２１１の左側歯面に係合し、第２の凸起３７１２３の直角面が下歯止めループ３７２２における下歯止め３７２２１の右側歯面に係合する。
【００３４】
反時計回りにつまみ３２０を回転させると、つめ車止め輪３７１は、２本の固定柱３７１２２によって連動してつまみ３２０に伴って転動する。つまみ３２０が転動すると、つまみ３２２の内側に固定された２本の接続柱３２１がそれに伴って反時計回りに回転し、第１の取付槽３７１１１内に位置する接続柱３２１が下に向かって運動し、第１の取付槽３７１２１内に位置する接続柱３２１が上に向かって運動するようになっており、つめ車止め輪３７１の上ラチェットバックル３７１１とつめ車ベース３７２の上歯止めループ３７２１との係合面が上歯止め３７２１１の左側に位置するため、２本の固定柱３７１２２の引張りによって、上ラチェットバックル３７１１と上歯止めループ３７２１の上歯止め３７２１１とが分離し、下ラチェットバックル３７１２が時計回りに回転すると、その第２の凸起３７１２３の円弧面と下歯止めループ３７２２の下歯止め３７２２１の傾斜面とが安定的に渡って分離し、そのようにして、つめ車止め輪３７１は、完全にめ車座３７２の制約から逸脱して運動し、歯車３３０を連動させて反時計回りに運動させ、この時に、歯車３３０と上下に係合する第１のラック３４０と第２のラック３５０とがお互いに近づいて、２セットのマッサージモジュール２００の筐体２５０が内に向かって縮んで、２セットのマッサージモジュール２００のマッサージヘッドがお互いに近づくようになり、異なる人間に適用される。同様に、つまみ３２０が回転を停止すると、回転している第１の凸起３７１１２と第２の凸起３７１２３も転動を停止して、ちょうど第１の凸起３７１１２と第２の凸起３７１２３が位置する箇所における上歯止め３７２１１と下歯止め３７２２１に係合し、そのようにして、外力作用がない場合に、つめ車止め輪３７１が固定されて転動できないので、歯車３３０も回転できず、第１のラック３４０と第２のラック３５０が内又は外に向かって運動できないことを保証し、時計回りにつまみ３２０を回転させると、２セットのマッサージモジュール２００をお互いに離れるようにすることができる。なお、この原理は以上と同様であるので、ここで詳しく述べない。
【００３５】
更に、本実施例において、Ｕ形のネック枕１００の両端部には、いずれも貫通穴１１１が設けられた引張りベルト１１０が設けられており、貫通穴１１１が使用時の手すり位置とし、その形状が人の手が曲がってしっかりと握っている時の形状に類似し、ネック部マッサージ器を使用する時に、両手が各貫通穴１１１から挿入してしっかりと握ってＵ形のネック枕１００をしっかりと掴むことによって、Ｕ形のネック枕１００の内側に位置するマッサージヘッドをしっかりと掴んでよりよくネック部にフィッティングさせてマッサージを行わせることを保証すると共に、人の手の作用によってＵ形のネック枕１００がマッサージして震動する時にネック部から滑り落ちることを防止する。
【００３６】
以上は、本発明の好ましい実施例だけであり、本発明を制限するものではなく、本発明の精神と原則に従って行った修正や同等な置き換え、改善等が全て本発明の特許請求の範囲に含まれるべきである。
【図１】
0005612228.tif 000002
【図２】
0005612228.tif 000003
【図３】
0005612228.tif 000004
【図４】
0005612228.tif 000005
【図５】
0005612228.tif 000006
【図６】
0005612228.tif 000007
【図７】
0005612228.tif 000008
【図８】
0005612228.tif 000009
【図９】
0005612228.tif 000010
【図１０】
0005612228.tif 000011
【図１１】
0005612228.tif 000012
【図１２】
0005612228.tif 000013
【図１３】
0005612228.tif 000014